(57)【特許請求の範囲】
【請求項１】
鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える機種情報手段Ａと機種情報手段Ｂを有し、前記機種情報手段Ａと機種情報手段Ｂの機種情報が同一であるか否か判定する機種判定手段をＬＳＩ内部に有し、前記機種情報手段Ａと機種情報手段Ｂの機種情報が同一でないと前記加熱制御手段からの出力を停止する構成の機種切り換え手段を備えた調理器。
【請求項２】
機種切り換え手段が、電子制御手段内部に、複数の抵抗の取付の違いにより機種情報を切り換える機種情報手段と、調理器の複数の本体配線の電子制御手段への接続の違いにより機種情報を切り換える機種情報手段を備えた構成である請求項１記載の調理器。
【請求項３】
複数の抵抗の取付の違いにより機種情報を切り換える機種情報手段が、機種情報手段の抵抗の少なくとも１部にディプスイッチ等により切り換える手段を備えた構成である請求項２記載の調理器。
【請求項４】
鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える前記電子制御手段内部の複数の抵抗と調理器の複数の本体配線の電子制御手段への接続の違いにより機種を切り換える機種情報手段を二つ有し、前記二つの機種情報手段の機種情報が同一であるか否か判定する機種判定手段をＬＳＩ内部に有し、前記二つの機種情報手段の機種情報が同一でないと前記加熱制御手段からの出力を停止する構成の機種切り換え手段を備えた調理器。
【請求項５】
機種情報手段が、調理器の複数の本体配線の電子制御手段への接続部を分割しその一方は、電子制御手段等に点火消火等を入力する操作手段からの入力部と同箇所とした構成である請求項４記載の調理器。
【請求項６】
鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える前記電子制御手段内部の複数の抵抗と機種切り換え基板の複数の印刷パタンの電子制御手段への接続の違いにより機種を切り換える機種情報手段を二つ有し、前記二つの機種情報手段の機種情報が同一であるか否か判定する機種判定手段をＬＳＩ内部に有し、前記二つの機種情報手段の機種情報が同一でないと前記加熱制御手段からの出力を停止する構成の機種切り換え手段を備えた調理器。
【請求項７】
機種情報手段が、機種切り換え基板の複数の印刷パタンの少なくとも一部にディプスイッチ等による切り換え手段を備えた構成である請求項６記載の調理器。
【発明の詳細な説明】
【０００１】
【発明の属する技術分野】
本発明は、複数の機種情報により機種の判定を行う様にした調理器の制御手段に関するものである。
【０００２】
【従来の技術】
図９は従来の電子制御手段を示す概念図である。図９において、電子制御手段１内に機種情報用接続抵抗１０ａまたは１０ｂを実装し、この機種情報用接続抵抗１０ａまたは１０ｂの選択により燃焼構成や熱量の違い等による調理物加熱防止手段の作動温度値の異なる異種の電子制御手段１に切り換えることができる構成とされている。
【０００３】
【発明が解決しようとする課題】
しかしながら、上記のような従来の構成では、例えば、機種情報用接続抵抗１０ａが取り付けられた機種Ａ仕様の電子制御手段、機種情報用接続抵抗１０ｂが取り付けられた機種Ｂ仕様の電子制御手段とし、機種Ａ仕様と機種Ｂ仕様では、例えば被調理物が油物の調理の場合に、この被調理物が過熱状態となり火災の危険が生じる危険温度より所定値低い温度に達したことを検知する調理物過熱防止手段５の作動温度値が機種Ａ仕様より機種Ｂ仕様の方が高く設定されていた場合には、機種Ａ仕様を使用時に機種情報接続抵抗１０ａが何らかの理由で破壊した場合に作動温度値が機種Ｂ仕様に変わってしまい火災の危険が生じてしまうという恐れがあった。
【０００４】
また、調理器本体に誤った電子制御手段を取り付けられた時にも同様に作動温度値が異なってしまい火災の危険が生じてしまうという恐れがあった。また、その逆に早切れを生じてしまい調理の出来映えを悪くしてしまう恐れがあった。
【０００５】
そこで、本発明は、かかる従来の課題を解消するもので、電子制御手段の１部品の不具合により機種が変わった時及び調理器本体に誤った電子制御手段が取り付けられた時の火災の危険及び調理の出来映えの悪化を防止することを目的とする。
【０００６】
【課題を解決するための手段】
本発明の調理器においては、機種切り換え手段の二つの機種情報手段の機種情報が同一の機種情報である事をＬＳＩが判定しないと、ＬＳＩからの加熱制御手段への出力がされない構成としたものである。
【０００７】
この本発明によれば、電子制御手段の１部品の不具合により機種が変わった時及び調理器本体に誤った電子制御手段が取り付けられた時の火災の危険及び調理の出来映えの悪化を防止することが得られる。
【０００８】
【発明の実施の形態】
本発明の請求項１に記載の発明は、鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える機種情報手段Ａと機種情報手段Ｂを有し、前記機種情報手段Ａと機種情報手段Ｂの機種情報が同一であるか否か判定する機種判定手段をＬＳＩ内部に有し、前記機種情報手段Ａと機種情報手段Ｂの機種情報が同一でないと前記加熱制御手段からの出力を停止する構成の機種切り換え手段を備えたものであり、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を有する。
【０００９】
請求項２に記載の発明は、機種切り換え手段が、電子制御手段内部に、複数の抵抗の取付の違いにより機種情報を切り換える機種情報手段と、調理器の複数の本体配線の電子制御手段への接続の違いにより機種情報を切り換える機種情報手段を備えたものであり、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を有する。
【００１０】
請求項３に記載の発明は、複数の抵抗の取付の違いにより機種情報を切り換える機種情報手段が、機種情報手段の抵抗の少なくとも１部にディプスイッチ等により切り換える手段を備えた構成のものであり、ディップスイッチ等を備えることにより機種情報手段の機種情報の切り換えが容易に行えるので電子制御手段の共用化を図る事ができるという作用を有する。
【００１１】
請求項４に記載の発明は、鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える前記電子制御手段内部の複数の抵抗と調理器の複数の本体配線の電子制御手段への接続の違いにより機種を切り換える同構成の機種情報手段を二つ有し、前記二つの機種情報手段の機種情報が同一であるか否か判定する機種判定手段をＬＳＩ内部に有し、前記二つの機種情報手段の機種情報が同一でないと前記加熱制御手段からの出力を停止する構成の機種切り換え手段を備えたものであり、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用と、機種の切り換えを本体配線の電子制御手段への接続の違いで行うので、電子制御手段の共用化が図れるという作用を有する。
【００１２】
請求項５に記載の発明は、機種情報手段が、調理器の複数の本体配線の電子制御手段への接続部を分割しその一方は、例えば電子制御手段に点火消火等を入力する操作手段の入力部と同箇所とした構成のものであり、確実に切り換え手段が接続されていないと電子制御手段が動作しないという作用を有する。
【００１３】
請求項６に記載の発明は、鍋を加熱する加熱手段と、前記加熱手段への燃焼量を制御する加熱制御手段と、前記加熱制御手段を制御する電子制御手段と、前記電子制御手段に点火消火等を入力する操作手段と、前記鍋の温度を検知し、その検知信号を前記電子制御手段に入力する温度検知手段と、前記電子制御手段の中に鍋内の被調理物が過熱状態となり火災の危険が生じる危険温度より所定値低い温度に達したことを検知する調理物過熱防止手段と、前記調理物過熱防止手段の作動温度値の異なった複数の機種の電子制御手段に切り換える前記電子制御手段内部の複数の抵抗と機種切り換え基板の複数の印刷パタンの電子制御手段への接続の違いにより機種を切り換える同構成の機種情報手段を二つ有し、前記二つの機種情報手段の機種情報が同一であるか否か判定する機種判定手段をＬＳＩ内部に有し、前記二つの機種情報手段の機種情報が同一でないと前記加熱制御手段からの出力を停止する構成の機種切り換え手段を備えたものであり、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用と、機種の切り換えを機種切り換え基板のパタンの電子制御手段への接続の違いで行うので、電子制御手段の共用化が図れるという作用を有する。
【００１４】
請求項７に記載の発明は、機種情報手段が、機種切り換え基板の複数の印刷パタンの少なくとも一部にディプスイッチ等による切り換え手段を備えた構成のものであり、ディップスイッチ等を備えることにより機種情報手段の機種情報の切り換えが容易に行えるので機種切り換え基板の共用化が図れるという作用を有する。
【００１５】
以下、本発明の実施の形態について、図１から図７を用いて説明する。
図１は調理器の電子制御手段の概念を示し、図１において機種切り換え手段７は、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を行うもので、電子制御手段１内部の機種情報手段Ａと、機種情報手段Ｂと機種判定手段２１から構成されている。
【００１６】
図２は調理器の電子制御手段の概念を示し、図２において機種切り換え手段７は、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を行うもので、電子制御手段１内部の複数の抵抗で構成された機種情報手段８と、別途電子制御手段１内部の複数の抵抗と調理器の本体配線の電子制御手段への接続状態で構成された機種情報手段９と、機種判定手段２１から構成されている。
【００１７】
図３は調理器の電子制御手段の概念を示し、図３において切り換えスイッチ１５ａ・１５ｂは、機種情報手段の機種情報の切り換えが容易に行えるので電子制御手段の共用化を図る事ができるという作用を行うもので、電子制御内部の複数の抵抗で構成された機種情報手段８・９と切り換えスイッチ１５ａ・１５ｂから構成されている。
【００１８】
図４は調理器の電子制御手段の概念を示し、図４において機種切り換え手段７は、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を行うもので、電子制御手段内部の複数の抵抗と調理器の本体配線の電子制御手段への接続状態で構成された機種情報手段８と、別途電子制御手段内部の複数の抵抗と調理器の本体配線の電子制御手段への接続状態で構成された機種情報手段９と、機種判定手段２１から構成されている。
【００１９】
図５は調理器の電子制御手段の概念を示し、図５において、機種情報手段８は、機種情報手段８が確実に電子制御手段に接続されていないと電子制御手段を動作させないという作用を行うもので、機種情報手段８は点火消火等を電子制御手段１に入力する操作手段１６と同一の電子制御手段への接続部となる様に構成されている。
【００２０】
図６は調理器の電子制御手段の概念を示し、図６において機種切り換え手段７は、二つの機種情報が同一機種情報である事をＬＳＩ内部の機種判定手段が判定しない限りＬＳＩからの加熱制御手段への出力がされないので加熱制御手段が動作しなくなり、被調理物を加熱する事ができなくなるという作用を行うもので、電子制御手段１内部の複数の抵抗と機種切り換え基板の複数の印刷パタンの電子制御手段への接続状態で構成された機種情報手段８と、別途電子制御手段内部の複数の抵抗と機種切り換え基板の複数の印刷パタンの電子制御手段への接続状態で構成された機種情報手段９から構成されている。
【００２１】
図７は調理器の電子制御手段の概念を示し、図７において切り換えスイッチ１５ａ・１５ｂ・１５ｃ・１５ｄは、機種情報手段の機種情報の切り換えが容易に行えるので機種切り換え基板の共用化を図る事ができるという作用を行うもので、電子制御内部の複数の抵抗と機種切り換え基板の複数の印刷パタンの電子制御手段への接続状態で構成された機種情報手段８・９と切り換えスイッチ１５ａ・１５ｂ・１５ｃ・１５ｄから構成されている。
【００２２】
以下本発明の一実施例について、図面を参照しながら説明する。図１は本発明の請求項１の調理器の電子制御手段の概念図、図８は同調理器の斜視図である。図１において、電子制御手段１は燃焼量を制御する加熱制御手段２と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報手段Ａ８ａと機種情報手段Ｂ９ａを有し、機種情報手段Ａ８ａと機種情報手段Ｂ９ａの機種情報が同一であるか否か判定する機種判定手段２１をＬＳＩ６内部に有し、機種情報手段Ａ８ａと機種情報手段Ｂ９ａの機種情報が同一であればＬＳＩ６から加熱制御手段２へ出力し加熱制御手段２を動作させる構成である。
【００２３】
この構成で例えば機種情報手段Ａ８ａと機種情報手段Ｂ９ａが、調理物過熱防止手段５の作動温度値が２７６℃設定された機種Ａの場合に、機種Ａ仕様を使用時に何らかの要因で機種情報手段Ａ８ａが破壊した場合には、機種情報手段Ａ８ａからの機種情報が変わってしまいＬＳＩ６内部の機種判定手段２１が機種情報手段Ａ８ａと、機種情報手段Ｂ９ａの機種情報が異なっている事を判定し加熱制御手段２への出力を停止し加熱制御手段２の動作を停止するので、被調理物を加熱しなくなり被調理物が過熱状態となり火災の危険が生じることは解消される。
【００２４】
図２は請求項２の一実施例で、電子制御手段１は燃焼量を制御する加熱制御手段２と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂ・１１ａ・１１ｂの取付の違いにより機種情報を切り換える構成の機種情報手段８と、機種情報用接続抵抗１２ａ・１２ｂと調理器の本体配線１３ａ・１３ｂの電子制御手段１への接続の違いにより機種情報を切り換える構成の機種情報手段９を有し、機種情報手段８と機種情報手段９の機種情報が同一であるか否か判定する機種判定手段２１をＬＳＩ６内部に有し、機種情報手段８と機種情報手段９の機種情報が同一であればＬＳＩ６から加熱制御手段２へ出力し加熱制御手段２を動作させる構成である。
【００２５】
この構成で例えば機種情報用接続抵抗１０ａ・１１ｂを実装し本体配線１３ａを電子制御手段１へ接続された時の機種Ａ仕様の調理物過熱防止手段５の作動温度値が２７６℃設定、機種情報用接続抵抗１０ｂ・１１ａを実装し本体配線１３ｂを電子制御手段１へ接続された時の機種Ｂ仕様の調理物過熱防止手段５の作動温度値が２９１℃設定であった場合に、機種Ａ仕様を使用時に何らかの要因で機種情報用接続抵抗１０ａが破壊した場合には、機種情報手段８からの機種情報が変わってしまいＬＳＩ６内部の機種判定手段２１が機種情報手段８と、機種情報手段９の機種情報が異なっている事を判定し加熱制御手段２への出力を停止し加熱制御手段２の動作を停止するので、被調理物を加熱する事ができなくなり被調理物が過熱状態となり火災の危険が生じること及び、早切れによる調理の出来映えの悪化は解消される。
【００２６】
又、Ａ仕様の調理器にＢ仕様の電子制御手段１を誤って取り付けられた場合には、本体配線１３ａ・１３ｂの電子制御手段１への接続は調理器の仕様により決められているので同様に、ＬＳＩ６内部の機種判定手段２１が機種情報手段８と、機種情報手段９の機種情報が異なっている事を判定し加熱制御手段２への出力を停止し加熱制御手段２の動作を停止するので、被調理物を加熱する事ができなくなり被調理物が過熱状態となり火災の危険が生じることは解消される。
【００２７】
図３は請求項３の一実施例で、電子制御手段１は燃焼量を制御する加熱制御手段２と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂ・１１ａ・１１ｂと機種情報用接続抵抗１０ａ・１０ｂ、機種情報用接続抵抗１１ａ・１１ｂの接続を変える切り換えスイッチ１５ａ・１５ｂにより機種情報を切り換える構成の機種情報手段８と、機種情報用接続抵抗１２ａ・１２ｂと調理器の本体配線１３ａ・１３ｂの電子制御手段１への接続の違いにより機種情報を切り換える構成の機種情報手段９を有し、機種に応じて機種情報用接続抵抗１０ａ・１０ｂ、機種情報用接続抵抗１１ａ・１１ｂを切り換えスイッチ１５ａ・１５ｂを切り換える構成であり、電子制御手段１の共用化を図る事ができる。
【００２８】
図４は請求項４の一実施例で、図４において、電子制御手段１は燃焼量を制御する加熱制御手段２と点火消火等を電子制御手段１に入力する操作手段１６と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂと本体配線１３ａ・１３ｂの電子制御手段１への接続の違いにより機種情報を切り換える構成の機種情報手段８と、機種情報用接続抵抗１１ａ・１１ｂと本体配線１４ａ・１４ｂの電子制御手段１への接続の違いにより機種情報を切り換える構成の機種情報手段９を有し、機種情報手段８と機種情報手段９の機種情報が同一であるか否か判定する機種判定手段２１をＬＳＩ６内部に有し、機種情報手段８と機種情報手段９の機種情報が同一であればＬＳＩ６から加熱制御手段２へ出力し加熱制御手段２を動作させる構成である。
【００２９】
この構成で例えば本体配線１３ａと本体配線１４ａを電子制御手段１へ接続された時の機種Ａ仕様の調理物過熱防止手段５の作動温度値が２７６℃設定、本体配線１３ｂと本体配線１４ｂを電子制御手段１へ接続された時の機種Ｂ仕様の調理物過熱防止手段５の作動温度値が２９１℃設定であった場合に、機種Ａ仕様を使用時に何らかの要因で機種情報用接続抵抗１０ａが破壊した場合には、機種情報手段８からの機種情報が変わってしまいＬＳＩ６内部の機種判定手段２１が機種情報手段８と、機種情報手段９の機種情報が異なっている事を判定し加熱制御手段２への出力を停止し加熱制御手段２の動作を停止するので、被調理物を加熱する事ができなくなり被調理物が過熱状態となり火災の危険が生じること及び、早切れによる調理の出来映えの悪化は解消される。又、機種情報の切り換えは本体配線の電子制御手段への接続の違いで行うので、電子制御手段の共用化が図れる。
【００３０】
図５は請求項５の一実施例で、電子制御手段１は燃焼量を制御する加熱制御手段２と点火消火等を電子制御手段１に入力する操作手段１６と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂと本体配線１３ａ・１３ｂの電子制御手段への接続の違いにより機種情報を切り換える構成の機種情報手段８と、機種情報用接続抵抗１１ａ・１１ｂと本体配線１４ａ・１４ｂの電子制御手段への接続の違いにより機種情報を切り換える構成の機種情報手段９を有し、機種情報手段８は点火消火等を電子制御手段１に入力する操作手段１６と同一の接続部とした構成であり、確実に切り換え手段８が接続されていないと、操作手段１６からＬＳＩ６への入力ができないので電子制御手段１が動作しない様になっている。
【００３１】
図６は請求項６の一実施例で、電子制御手段１は燃焼量を制御する加熱制御手段２と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂと機種切り換え基板１７の印刷パタン１８ａ・１８ｂの印刷の違いにより電子制御手段１への接続を換え機種情報を切り換える機種情報手段８と、機種接続用抵抗１１ａ・１１ｂと機種切り換え基板１７の印刷パタン１９ａ・１９ｂの印刷の違いにより電子制御手段１への接続を換え機種情報を切り換える機種情報手段９を有し、機種情報手段８と機種情報手段９の機種情報が同一であるか否か判定する機種判定手段２１をＬＳＩ６内部に有し、機種情報手段８と機種情報手段９の機種情報が同一であればＬＳＩ６から加熱制御手段２へ出力し加熱制御手段２を動作させる構成である。
【００３２】
この構成で例えば印刷パタン１８ａと印刷パタン１９ａが印刷された機種切り換え基板１７を電子制御手段１に取り付けた時の機種Ａ仕様の調理物過熱防止手段５の作動温度値が２７６℃設定、印刷パタン１８ｂと印刷パタン１９ｂが印刷された機種切り換え基板１７を電子制御手段１に取り付けた時の機種Ｂ仕様の調理物過熱防止手段５の作動温度値が２９１℃設定であった場合に、機種Ａ仕様を使用時に何らかの要因で機種情報用接続抵抗１０ａが破壊した場合には、機種情報手段８からの機種情報が変わってしまいＬＳＩ６内部の機種判定手段２１が機種情報手段８と、機種情報手段９の機種情報が異なっている事を判定し加熱制御手段２への出力を停止し加熱制御手段２の動作を停止するので、被調理物を加熱する事ができなくなり被調理物が過熱状態となり火災の危険が生じること及び、早切れによる調理の出来映えの悪化は解消される。又、機種情報の切り換えは機種切り換え基板で行うので、電子制御手段を共用できる。
【００３３】
図７は請求項７の一実施例で、電子制御手段１は燃焼量を制御する加熱制御手段２と鍋３の底部の温度を検知し、その検知信号を電子制御手段１に入力する温度検知手段４と、鍋内の調理物が過熱状態となり火災の危険が生じる危険温度より所定値低い温度に達したことを検知する調理物過熱防止手段５と、調理物過熱防止手段５の作動温度値の異なった複数の電子制御手段１に切り換える機種情報用接続抵抗１０ａ・１０ｂと機種切り換え基板１７の印刷パタン１８ａ・１８ｂと印刷パタン１８ａ・１８ｂの電子制御手段１への接続を変える切り換えスイッチ１５ａ・１５ｂにより機種情報を切り換える機種情報手段８と、機種接続用抵抗１１ａ・１１ｂと機種切り換え基板１７の印刷パタン１９ａ・１９ｂと印刷パタン１９ａ・１９ｂの電子制御手段１への接続を変える切り換えスイッチ１５ｃ・１５ｄにより機種情報を切り換える機種情報手段９を有し、機種に応じて印刷パタン１８ａ・１８ｂ印刷パタン１９ａ・１９ｂを切り換えスイッチ１５ａ・１５ｂ・１５ｃ・１５ｄを切り換える構成であり、機種切り換え基板の共用化と電子制御手段の共用化が図れる。
【００３４】
【発明の効果】
以上のように本発明によれば、機種情報用の１部品が破壊した場合には、二つの機種情報が同一でない事をＬＳＩが判定し、加熱制御手段への出力を停止し加熱制御手段の動作を停止するので、被調理物を加熱する事ができなくなり被調理物が油物の調理の場合に、この被調理物が過熱状態となり火災の危険が生じること及び、早切れによる調理の出来映えの悪化を防止することができる。
【００３５】
また、ディップスイッチ等を備えることにより機種の切り換えが容易に行えるので電子制御手段および機種切り換え基板の共用化を図ることができる。
【図面の簡単な説明】
【図１】本発明の一実施の形態による電子制御手段を示す概念図
【図２】本発明の一実施の形態による電子制御手段を示す概念図
【図３】本発明の一実施の形態による電子制御手段を示す概念図
【図４】本発明の一実施の形態による電子制御手段を示す概念図
【図５】本発明の一実施の形態による電子制御手段を示す概念図
【図６】本発明の一実施の形態による電子制御手段を示す概念図
【図７】本発明の一実施の形態による電子制御手段を示す概念図
【図８】本発明の調理器の斜視図
【図９】従来の電子制御手段を示す概念図
【符号の説明】
１  電子制御手段
２  加熱制御手段
３  鍋
４  温度検知手段
５  調理物過熱防止手段
６  ＬＳＩ
７  機種切り換え手段
８、９  機種情報手段
８ａ  機種情報手段Ａ
９ａ  機種情報手段Ｂ
１０ａ、１０ｂ、１１ａ、１１ｂ、１２ａ、１２ｂ  機種情報用接続抵抗
１１ａ、１１ｂ  機種情報用接続抵抗
１３ａ、１３ｂ、１４ａ、１４ｂ  本体配線
１５ａ、１５ｂ、１５ｃ、１５ｄ  切り換えスイッチ
１６  操作手段
１７  機種切り換え基板
１８ａ、１８ｂ、１９ａ、１９ｂ  印刷パタン
２０  加熱手段
２１  機種判定手段
【図１】
0003721633.tif 000002
【図２】
0003721633.tif 000003
【図３】
0003721633.tif 000004
【図４】
0003721633.tif 000005
【図５】
0003721633.tif 000006
【図６】
0003721633.tif 000007
【図７】
0003721633.tif 000008
【図８】
0003721633.tif 000009
【図９】
0003721633.tif 000010